(57)【特許請求の範囲】
【請求項１】
ランドセル外蓋の付け根部付近に巾方向に被着可能な蓋側被覆部と、背環部の上側に配するとともに左右背負ベルトの付け根部付近に各々被着可能な折込み部を設けたベルト側被覆部とを上下方向に連設し、連設部の中間にランドセルの吊手などを挿通可能なスリットを形成した構成を有するランドセルの背負ベルト取付け部カバーにおいて、スリットの左右巾よりも短い巾を有する被覆片を、スリット中間部分を被覆するようにベルト側被覆部若しくは蓋側被覆部の一方から他方に向かって突設させ、かつ、ベルト側被覆部は蓋側被覆部と略々同長の左右巾を有し、左右の背負ベルト付け根部に被着し得る上下巾を有して形成し、かつ、この中央部下側を二股状に形成するとともに、二股部に左右両側へ折返し可能な折込み部を延設し、この折込み部は折返した先端部付近をベルト側被覆部の左右端部付近に止着して、背負ベルトを左右方向にゆとりのある自由挿通状態となるように挟着するようにしてなるランドセルの背負ベルト取付け部カバー。
【請求項２】
スリット部を被覆する被覆片をベルト側被覆部又は蓋側被覆部のいずれか一方に形成するとともに、被覆片と重合可能な突出片をいずれか他方に形成してなる構成を有する請求項１に記載のランドセルの背負ベルト取付け部カバー。
【発明の詳細な説明】
【技術分野】
【０００１】
本発明は、ランドセルの背環部を含む背負ベルトの取付け部に髪の毛などが挟み込まれるのを防止するカバーに関する。
【背景技術】
【０００２】
背板上部に装着した留め輪に背負ベルト上端部を連結しただけの簡単な構成のランドセルでも、髪の毛が取付け部に絡むことがある。近時のランドセルは体格などの個体差や成長にも対応でき、運動にも適度に追随できる一方で、安定した背負い心地を発揮できるようにした構成の背環が装着されている。これらのものは回動構造を有し構造が複雑化している分だけ背環部で髪の毛が絡み込みやすくなり、絡み込んだ髪の毛を抜き外す苦労も増えているのが実情である。
【０００３】
このような対策の１つは、ランドセルの外蓋に被せる蓋カバーの上部に設けた孔に背負ベルトを通して、カバー上部を背環部にそのまま被せるものである。特許文献１に示された如きカバーである。また、他の１つは、左右の背負ベルトの背環への取付け部にそれぞれ伸縮性のある筒カバーを各別に巻き付けるものである。特許文献２に示された如きカバーである。
【０００４】
【特許文献１】登録実用新案第３０７７２７８号公報
【特許文献２】特開２００６−４３０３１号公報
【発明の開示】
【発明が解決しようとする課題】
【０００５】
しかしながら、前者の場合は、髪の毛の絡み対策のために、この目的に関係のない外蓋カバーを否応なく装着しなければならない不便さがあり、外蓋に被着するカバーであるために背負ベルト取付け部や背環部などを十分には被覆しにくく、同時にこれらの運動性に追従しにくい欠点があった。また、後者の場合は、背負ベルトの付け根部に巻き付けるので、背環内に髪の毛が入り込むこと自体を防ぐことはできず、そのため背環部への絡み込みを十分には防止できない問題点があった。
【０００６】
本発明は、このような従来の問題点を改善せんとするものであり、カバー自体を小型にしかつ着脱容易にするとともに、背環部の回動機能性を保たせ、着用者が走ったりしてランドセルが激しく揺動しても背負ベルトのフィット性を保たせながら、背環部と背負ベルト取付け部を被覆できるものとし、髪の毛がこの部分に絡み込み難くしたカバーを提供し、さらに吊手乃至取手を通せるようにしてこの挿通部も被覆できるようにしたカバーを提供せんとするものである。
【課題を解決するための手段】
【０００７】
上記課題を解決するために、本発明は、ランドセル外蓋の付け根部付近に巾方向に被着可能な蓋側被覆部と、背環部の上側に配するとともに左右背負ベルトの付け根部付近に各々被着可能な折込み部を設けたベルト側被覆部とを、前者を上側、後者を下側として上下方向に連設し、連設部の中間にランドセルの吊手などを挿通可能なスリットを形成した構成を有するランドセルの背負ベルト取付け部カバーを前提とする。
【０００８】
上記カバーにおいて、本発明は、スリットの左右巾よりも短い巾を有する被覆片を、スリット中間部分を被覆するようにベルト側被覆部若しくは蓋側被覆部の一方から他方に向かって突設させ、かつ、ベルト側被覆部は蓋側被覆部と略々同長の左右巾を有し、左右の背負ベルト付け根部に被着し得る上下巾を有して形成し、かつ、この中央部下側を二股状に形成するとともに、二股部に左右両側へ折返し可能な折込み部を延設し、この折込み部は折返した先端部付近をベルト側被覆部の左右端部付近に止着して、背負ベルトを左右方向にゆとりのある自由挿通状態となるように挟着するようにしてランドセルの背負ベルト取付け部カバーを構成したことを特徴とする。
【０００９】
また、スリット部を被覆する被覆片をベルト側被覆部又は蓋側被覆部のいずれか一方に形成するとともに、被覆片と重合可能な突出片をいずれか他方に形成するようにしたことも特徴とする。
【００１０】
なお、本発明における上下などの向きは図示における説明上の向きであり、使用態様では上下は例えば前後の向きとなり、或いは上下逆向きとなるなど、構成を限定するものではない。
【００１１】
上記構成のカバーによれば、蓋側被覆部をランドセル外蓋の付け根部付近に被着するとともに、ベルト側被覆部を背環部の上側に配しつつ、その折返し部を左右背負ベルトの各付け根部付近に被着し、ランドセルの吊手をスリットに挿通させて使用することができる。これによれば、小型のカバーで背環部付近を被覆するように装着することができ、カバー自体を小型軽量でかつ着脱操作が容易なものとすることができるとともに、背環部の上方に配してあるので、背環部の回動機能性をそのまま保ち、背負ベルトの運動性を保ちながら、背環部と背負ベルトの取付け部を安定して被覆するできるものとすることができ、該部分に髪の毛が絡み込み難いカバーを提供することができる。
【００１２】
さらにスリットにはランドセルの背板上部から上方に突設してある吊手乃至取手を挿通することができるとともに、スリットには髪の毛が絡み込み難いが、被覆片乃至突出片を形成することによりスリット部がより確実に塞がれて、被覆の安定性と絡み込み防止を一層確実にする。
【発明を実施するための最良の形態】
【００１３】
以下、本発明の一例としての好適な実施形態を図面によって説明する。
図１〜３は本発明の一実施形態を示すカバーの表面及び裏面図、図４〜５はその分解状態図、図６〜８は各部の縦断面図、図９〜１０は使用状態図である。
【００１４】
１は蓋側被覆部であり、ランドセルの外蓋５１の左右巾と略々同程度の左右巾を有し、適宜な上下巾を有した細長状のシート体１ａとし、布、皮、プラスチックシート、発泡シート、その他の合成材、或いはこれらの複層材など任意な素材を用い、硬軟いずれでもよいが、好ましくは適度な硬さ（張り）を有したプラスチック製単板シート若しくは表装した複層シートで形成し、裏面左右に亘ってゴム紐（平紐）２を配して両端を上記シート体１ａに止着してあり、図９，１０の如く外蓋５１をシート体１ａとゴム紐２の間に挿通し、蓋側被覆部１を外蓋５１の付け根部外側に装着できるようにしてある。なお、ゴム紐２は、係合具を先端に備えた左右一対の止め紐乃至止め帯、その他の適宜な止着部材とすることができる。
【００１５】
蓋側被覆部１の表面中央部には突出片３を縫着或いは接着などにより装着し、突出片３は後述するスリット１２の長さよりも短い左右巾を有し、蓋側被覆部１から下方に若干長さ突出してスリット１２の中央部を被覆するように形成し、この表面内にホック、ベルベット式ファスナーなど適宜な雌雄一方の留め具４ａを固着してある。
【００１６】
５はベルト側被覆部であり、布、皮、プラスチックシート、発泡シート、その他の合成材、或いはこれらの複層材など任意な素材を用い、柔軟なシート状のカバー部６と、同様に柔軟なシート状の折込み部７とを連設して形成してある。
【００１７】
カバー部６は蓋側被覆部１と略々同長の左右巾を有し、該被覆部１（乃至シート体１ａ）の下辺に平行する上辺を有し、背環部５２の上方を被覆し得る適度な上下巾、すなわち左右の背負ベルト５３，５３の上端付け根部にそれぞれ被着してこの上方を被覆し得る適度な上下巾を有し、かつ、中央下部に下方が拡開して開放した二股状乃至下向き半楕円弧状の如き切欠部８を形成したシート状としてある。図示例ではカバー部６は、左右両端の上下巾が狭く、中央部の切欠部８に向けて上下巾が漸次広くなった形状、例えば変型横長三角形状の如き形状若しくは両カバー部６，６を両翼として広げた拡翼の如き形状に形成してある。
【００１８】
折込み部７は上記カバー部６と同素材で略々同形に形成したシート状とし、これとカバー部６とを切欠部８の縁辺に沿って縫合などして連設一体とし、左右の各折込み部７ａ，７ｂとその間の狭巾な中間部７ｃとを、切欠部の縁辺沿いの縫着辺以外が開放された折返し自由部分として形成してある。
【００１９】
また、左右の折込み部７ａ，７ｂを折返してベルト側被覆部５の左右裏面側にそれぞれ重ねた状態において、折込み部７ａ，７ｂの先端部がそれぞれ止着可能なように、被覆部５と折込み部７には対向したホックやファスナーの如き雌雄一対の各留め具９ａ，９ｂを装着してある。中間部７ｃは、左右折込み部７ａ，７ｂを折返した状態において、ベルト側被覆部５の裏側方向に引っ張られて起立した状態となるように形成してあり、背環部の上方を被覆する役目の一翼を担う。
【００２０】
カバー部６の裏面中央上部には、被覆片１０の下部を縫合などして連設し、カバー部６の上方に突出した被覆片１０が突出片３の表面側に重合可能なように形成してあり、被覆片内に突出片の留め具４ａと雌雄一対となる他方の留め具４ｂを装着してある。
【００２１】
上記蓋側被覆部１とベルト側被覆部５は、前者１乃至シート体１ａの下辺と、後者５乃至カバー部６の上辺とが略々接触し若しくは重複するようにして平行状態となるように配置するとともに、左右両端部において両者間に継ぎ片１１を渡し、縫着などして両者を連設一体とし、両端の継ぎ片１１，１１間に上記上下辺が開閉自由なスリット１２を形成した構成としてある。なお、蓋側被覆部１とベルト側被覆部５はその上下辺間のスリット１２が若干の間隙を生じるように配置することも可能であるが、間隙は少ないか無い方が好ましい。
【００２２】
前記突出片３と被覆片１０は、その左右巾をスリット１２の長さよりも短く形成し、突出片３と被覆片１０を閉止した状態においてもスリット１２の両端部に開放状態のスリット部分が残り、この部分をランドセルの吊手５４が挿通するように形成するのがよい。なお、突出片３と被覆片１０とは、上記と異なり、それぞれ左右二分割形した各二枚ものとして形成し、二分割の間に若干間隙を設けて若干巾のスリット部分を残しておくように形成することも可能である。
【００２３】
上記のようにして連設一体とした蓋側被覆部１とベルト側被覆部５の外周縁には飾りと連設の補強を兼ねて縁布などの縁材１３を連続状に縫着などして装着するのがよい。また、上記各構成部材にも飾りと補強を兼ねて縁材を縫着などして装着しておくのが好ましい。図面では点線で縫着状態を表して縁材を示してある。ただし、縁材は設けなくてもよい。
なお、上記において突出片３を設けずに、被覆片１０のみ設けることができる。この場合、留め具４ａは蓋側被覆部１乃至シート体１ａに形成すればよい。また、被覆片１０を設けずに突出片３のみを設け、この突出片を被覆片として用いることも可能である。この場合、被覆片の下部が突出するが、突出部はベルト側被覆部５の裏面側に沿わせることもできるが、表面側に沿わせるようにしてもよい。
【００２４】
上記のようにしてなるカバーは、図９，１０に示す如く、蓋側被覆部１をゴム紐２でランドセルの外蓋５１の付け根部外側に装着し、吊手５４をスリット１２に通して上方に突出させる一方で、折込み部７（７ａ，７ｂ）を開いて、左右背負ベルト５３，５３の付け根部を包み込むようにしてそれぞれの内側から裏方を通して外側に折返し、カバー部６に留め具９ａ，９ｂで止着し、さらには吊手５４を挿通したスリット１２の中間部に被覆片１０を被覆し、留め具４ａ，４ｂで蓋側被覆部に止着して使用に供することができる。
【００２５】
このように、本カバーは、外蓋付け根部外側から背環部上方を被覆し、左右の背負ベルトの付け根部を覆い、これらは十分な左右巾をもって被覆し、カバー部の中間部も背環部上方を覆うので、髪の毛が背環部付近に入り込むことがなく、髪の毛が絡み込むことがない。蓋側被覆部は外蓋付け根部に装着されて安定し、ベルト側被覆部は十分なゆとりあるベルト挿通間隙を有して背負ベルト付け根部を抱持するので、背環部と背負ベルトの運動性などの機能を損なわせることがない。カバーは全体として小型軽量とし、デザイン性に優れたものとすることができる。
【図面の簡単な説明】
【００２６】
【図１】本発明の一実施形態を示すカバーの表面図である。
【図２】図１のカバーの裏面図である。
【図３】図２の折込み部を開放した状態を示す裏面図である。
【図４】図１の蓋側被覆部とベルト側被覆部とを分離して示した一部省略表面図である。
【図５】図２の蓋側被覆部とベルト側被覆部とを分離して示した一部省略裏面図である。
【図６】図１のＡ−Ａ線の切断面図である。
【図７】図１のＢ−Ｂ線の切断面図である。
【図８】図１のＣ−Ｃ線の切断面図である。
【図９】本カバーをランドセルに装着した使用状態を示す略図である。
【図１０】本カバーをランドセルに装着した使用状態を示す断面状態略図である。
【符号の説明】
【００２７】
１蓋側被覆部、    １ａシート体、    ２ゴム紐、    ３突出片、
４ａ，４ｂ留め具、    ５ベルト側被覆部、    ６カバー部、    ７折込み部、
７ａ，７ｂ左右折込み部、    ７ｃ中間部、    ８切欠部、
９ａ，９ｂ留め具、    １０被覆片、    １１継ぎ片、    １２スリット、
１３縁材、
５１ランドセルの外蓋、    ５２背環部、    ５３背負ベルト、    ５４吊手
【要約】
【課題】背環部の機能性を保ち、背負ベルトのフィット性を保ちながら、背環部と背負ベルト取付け部を被覆でき、髪の毛が絡み込み難くした小型で着脱容易なカバーを提供する。
【解決手段】外蓋の付け根部に被着可能な蓋側被覆部１と、ベルト側被覆部５とを上下に連設し、連設部の中間にランドセルの吊手５４などを挿通可能なスリット１２を形成し、被覆部１の中間には下方突出の突出片３を設け、被覆部５の中間には上方突出して突出片３に止着しスリット部分を被覆する被覆片１０を設けた。被覆部５は、被覆部１と同様な左右巾を有し中央部下側を二股状としたカバー部６と、この二股部から左右に折返し可能な折込み部７ａ，７ｂを延設した折込み部７とを二股部で連設一体とした。
【選択図】図１【図１】
0004234775.tif 000002
【図２】
0004234775.tif 000003
【図３】
0004234775.tif 000004
【図４】
0004234775.tif 000005
【図５】
0004234775.tif 000006
【図６】
0004234775.tif 000007
【図７】
0004234775.tif 000008
【図８】
0004234775.tif 000009
【図９】
0004234775.tif 000010
【図１０】
0004234775.tif 000011